(57)【要約】 【課題】  本発明は、複数の受信部のうちの良い受信状態にある受信部により出力された信号を適切に選択することができる。【解決手段】  基準点特定部１１０，２１０は、多値変調方式に従う複素平面に投影された受信信号の信号点に最も近い基準点を特定する。距離算出部１１１，２１１は、基準点特定部１１０，２１０により特定された基準点と受信信号の信号点との距離を算出する。制御量生成部１０８，２０８は、受信信号の品質の劣化を特定するための品質劣化値を生成する。距離比較選択部３４０は、最も短い距離を算出した距離算出部を備える受信部により出力された受信信号を選択する。中止部３２０は、制御量生成部１０８，２０８により生成された各品質劣化値のうちの１の品質劣化値が所定閾値を超えた場合には、距離比較選択部３４０の処理を中止させる。【選択図】      図１
2006166021.tif 000002
【特許請求の範囲】
【請求項１】
多値変調方式に従う複素平面に投影された受信信号の信号点に最も近い基準点を特定する基準点特定部と、
前記基準点特定部により特定された基準点と前記受信信号の信号点との距離を算出する距離算出部と、
前記受信信号の品質の劣化を特定するための品質劣化値を生成する生成部とを備える受信部が複数備えられており、
最も短い距離を算出した距離算出部を備える受信部により出力された受信信号を選択する距離比較選択部と、
各生成部により生成された各品質劣化値のうちの１の品質劣化値が所定閾値を超えた場合には、前記距離比較選択部の処理を中止させる中止部と
を備えることを特徴とするダイバーシティ受信装置。
【請求項２】
各基準点特定部により特定された各基準点が一致している場合には、該基準点に対応する信号を選択する基準点比較選択部が備えられており、
前記距離比較選択部は、前記基準点比較選択部により前記基準点に対応する信号が選択されない場合には、最も短い距離を算出した距離算出部を備える受信部により出力された受信信号を選択するものであり、
前記中止部は、各生成部により生成された各品質劣化値のうちの１の品質劣化値が所定閾値を超えた場合には、前記基準点比較選択部及び前記距離比較選択部の処理を中止させることを特徴とする請求項１に記載のダイバーシティ受信装置。
【請求項３】
前記各受信部は、前記受信信号に含まれているパイロット信号に基づいて、該パイロット信号に含まれているＳＰ信号の分散によりキャリアの信頼性の高さを信頼性情報として特定する信頼性情報特定部を備えており、
前記基準点比較選択部により前記基準点に対応する信号が選択されない場合には、各信頼性情報のうちの高い信頼性情報を特定した信頼性情報特定部を備える受信部により出力された受信信号を選択する信頼性情報比較選択部が備えられており、
前記中止部は、各生成部により生成された各品質劣化値のうちの１の品質劣化値が所定閾値を超えた場合には、前記基準点比較選択部、前記距離比較選択部及び前記信頼性情報比較選択部の処理を中止させることを特徴とする請求項２に記載のダイバーシティ受信装置。
【請求項４】
前記各受信部は、前記受信信号に含まれているパイロット信号に基づいて、該パイロット信号に含まれているＳＰ信号の分散によりキャリアの信頼性の高さを信頼性情報として特定する信頼性情報特定部を備えており、
各信頼性情報のうちの高い信頼性情報を特定した信頼性情報特定部を備える受信部により出力された受信信号を選択する信頼性情報比較選択部が備えられており、
前記中止部は、各生成部により生成された各品質劣化値のうちの１の品質劣化値が所定閾値を超えた場合には、前記距離比較選択部及び前記信頼性情報比較選択部の処理を中止させることを特徴とする請求項１に記載のダイバーシティ受信装置。
【請求項５】
多値変調方式に従う複素平面に投影された受信信号の信号点に最も近い基準点を特定する基準点特定部と、
前記受信信号に含まれているパイロット信号に基づいて、該パイロット信号に含まれているＳＰ信号の分散によりキャリアの信頼性の高さを信頼性情報として特定する信頼性情報特定部と、
前記受信信号の品質の劣化を特定するための品質劣化値を生成する生成部とを備える受信部が複数備えられており、
各信頼性情報のうちの高い信頼性情報を特定した信頼性情報特定部を備える受信部により出力された受信信号を選択する信頼性情報比較選択部と、
各生成部により生成された各品質劣化値のうちの１の品質劣化値が所定閾値を超えた場合には、前記信頼性情報比較選択部の処理を中止させる中止部と
を備えることを特徴とするダイバーシティ受信装置。
【請求項６】
各基準点特定部により特定された各基準点が一致している場合には、該基準点に対応する信号を選択する基準点比較選択部が備えられており、
前記信頼性情報比較選択部は、前記基準点比較選択部により前記基準点に対応する信号が選択されない場合には、各信頼性情報のうちの高い信頼性情報を特定した信頼性情報特定部を備える受信部により出力された受信信号を選択するものであり、
前記中止部は、各生成部により生成された各品質劣化値のうちの１の品質劣化値が所定閾値を超えた場合には、前記基準点比較選択部及び前記信頼性情報比較選択部の処理を中止させることを特徴とする請求項５に記載のダイバーシティ受信装置。
【請求項７】
前記生成部は、復調された前記受信信号の電力値を特定の電力値に近づけるための制御量を前記品質劣化値として生成することを特徴とする請求項１乃至請求項６のいずれかに記載のダイバーシティ受信装置。
【請求項８】
前記生成部は、前記複素平面における全ての基準点を囲む領域の外延から所定距離以上の隔てられた箇所に投影された所定期間内における受信信号の信号点の数を前記品質劣化値として生成することを特徴とする請求項１乃至請求項７のいずれかに記載のダイバーシティ受信装置。
【請求項９】
前記所定距離は、前記複素平面における隣接する基準点間の半分の距離であることを特徴とする請求項８に記載のダイバーシティ受信装置。
【発明の詳細な説明】
【技術分野】
【０００１】
本発明は、ＯＦＤＭ方式などの変調方式を用いて受信信号を復調するダイバーシティ受信装置に関する。
【背景技術】
【０００２】
近年では、高品質な伝送に優れた変調方式として、ＯＦＤＭ（Orthogonal Frequency Division Multiplexing）方式が提案されている。例えば、ＯＦＤＭ方式には、ＱＰＳＫ（Quadrature Phase Shift Keying）、１６ＱＡＭ（Quadrature Amplitude Modulation）などの変調方式が挙げられる。
【０００３】
図７及び図８は、ＱＰＳＫの変調方式による各基準点を示す図である。図７に示す（）内の数値は多値変調方式に従う複素平面（以下では、複素平面と称する）における基準点を示すビットデータである。また、「」内の数値は複素平面における基準値の方向及び大きさを示すデータである。ここで、図７に示す「＋１」はＰ×（３／４)×（１／√２）の式により求められる。「−１」は−Ｐ×（３／４)×（１／√２）の式により求められる。なお、Ｐはパイロット信号の平均値を意味する。
【０００４】
図９は、１６ＱＡＭの変調方式による各基準点を示す図である。図８に示す（）内の数値は複素平面における基準点を示すビットデータである。また、「」内の数値は複素平面における基準値の方向及び大きさを示すデータである。ここで、図８に示す「＋１」はＰ×（３／４)×（１／√１０）の式により求められる。「＋３」はＰ×（３／４)×（１／√１０）×３の式により求められる。「−１」は−Ｐ×（３／４)×（１／√１０）の式により求められる。「−３」は−Ｐ×（３／４)×（１／√１０）×３の式により求められる。
【０００５】
上述した図７又は図９に示す基準点と受信信号の信号点とが比較され、いずれかの基準点が特定されることにより受信信号がビットデータに復調される。この基準点を特定する処理方法として、硬判定ビタビ復号処理と軟判定ビタビ復号処理とが挙げられる。硬判定ビタビ復号処理では、受信信号の信号点に最も近い基準点を示すビットデータが特定される。図８に示すように、硬判定ビタビ復号処理が実行されると、受信信号の信号点Ａに最も近い基準点（０１）が特定される。
【０００６】
一方、軟判定ビタビ復号処理では、上記基準点を示す各ビットが３ビットづつ拡張される。図８に示すように、軟判定ビタビ復号処理では、各基準点のうちの“０”に近い方から“０００”，“００１”，“０１０”，“０１１”、各基準点のうちの“１”に近い方から“１１１”，“１１０”，“１０１”，“１００”がＩ軸上又はＱ軸上で割振られ、これにより受信信号の信号点が示される。例えば、図８に示す信号点Ａは、この信号点Ａに最も近い基準点（０１）からＩ軸方向に−２，Ｑ軸方向に＋２のずれが生じている。このため、信号点Ａは（０１０１０１）で示される。これにより、軟判定ビタビ復号処理では、硬判定ビタビ復号処理よりも基準点がより適切に特定されることとなる。
【０００７】
ここで、複数の受信部のそれぞれは、受信信号を上記硬判定ビタビ復号処理又は上記軟判定ビタビ復号処理等する。そして、ダイバーシティ受信装置は、当該複数の受信部により出力された受信信号のいずれかを選択する（例えば、特許文献１参照）。具体的には、ダイバーシティ受信装置は、各受信部により特定された各基準点を比較し、各基準点が一致するか否か判定する。このダイバーシティ受信装置は、各基準点が一致する場合にはその基準点に対応する信号を出力する（この出力する処理は、基準値一致合成処理と称する）。
【０００８】
一方、ダイバーシティ受信装置は、各基準点が一致しない場合には、基準点と受信信号の信号点との最も短い距離を算出した受信部を選択し、選択した受信部からの受信信号を出力する（この出力する処理は、ずれ信頼度選択合成処理と称する）。
【特許文献１】特開２００３−２８３４５９号公報
【発明の開示】
【発明が解決しようとする課題】
【０００９】
しかしながら、一方の受信部における受信状態が良好であり、他方の受信部における受信状態が該一方の受信部における受信状態よりも悪い場合には、上記ダイバーシティ受信装置は、受信状態が良い一方の受信部により出力された受信信号ではなく、該一方の受信部における受信状態よりも悪い受信部により出力された受信信号を誤って選択することがあった。
【００１０】
図１０は、受信状態が良い一方の受信部（以下では第１受信部と称する）において受信信号の信号点が複素平面に投影されている様子を示す図である。また、図１１は、該一方の受信部の受信状態よりも悪い他方の受信部（以下では第２受信部と称する）において受信信号の信号点が複素平面に投影されている様子を示す図である。図１０及び図１１に示すＫ１及びＫ２は、送信側で送信された（１１）に関係する信号が受信側の複素平面における（１１）付近でばらつく領域を示している。
【００１１】
図１０に示すように、受信状態が良い第１受信部では、受信信号の信号点Ｂが本来の基準点（１１）に近い範囲内に配置される。一方、図１１に示すように、受信状態がある程度以上悪い第２受信部では、受信信号の信号点Ｃが本来の基準点（１１）から離れて、誤った基準点（以下では誤基準点と称する）（０１）の近くに配置されることがある。よって、第１受信部では信号点Ｂに近い本来の基準点（１１）が特定される一方で、第２受信部では信号点Ｃに近い誤基準点（０１）が特定されることとなる。
【００１２】
この場合には、ダイバーシティ受信装置は、両基準点が一致しないため、上記基準値一致合成処理を行わずに、上記ずれ信頼度選択合成処理を実行する。このため、ずれ信頼度選択合成処理では、信号点Ｃと誤基準点（０１）との距離Ｌ２の方が、信号点Ｂと本来の基準点（１１）との距離Ｌ１の方よりも短いため、ダイバーシティ受信装置は、最も短い距離Ｌ２を算出した第２受信部により出力された受信信号を誤って選択することがある。
【００１３】
そこで、本発明は以上の点に鑑みてなされたものであり、複数の受信部のうちの良い受信状態にある受信部により出力された信号を適切に選択することのできるダイバーシティ受信装置を提供することを目的とする。
【課題を解決するための手段】
【００１４】
本発明は、上記課題を解決するために、多値変調方式に従う複素平面に投影された受信信号の信号点に最も近い基準点を特定する基準点特定部と、基準点特定部により特定された基準点と受信信号の信号点との距離を算出する距離算出部と、受信信号の品質の劣化を特定するための品質劣化値を生成する生成部とを備える受信部が複数備えられており、最も短い距離を算出した距離算出部を備える受信部により出力された受信信号を選択する距離比較選択部と、各生成部により生成された各品質劣化値のうちの１の品質劣化値が所定閾値を超えた場合には、距離比較選択部の処理を中止させる中止部とを備えることを特徴とする。
【００１５】
このような本発明によれば、中止部が、各生成部により生成された各品質劣化値のうちの１の品質劣化値が所定閾値を超えた場合には、距離比較選択部の処理を中止させることにより、距離比較選択部は、受信信号の信号点−誤基準点間の距離が受信信号の信号点−本来の基準点間の距離よりも短くても、当該短い距離を算出した受信部により出力された受信信号を選択しないこととなる。これにより、ダイバーシティ受信装置は、複数の受信部のうちの良い受信状態にある受信部により出力された信号を適切に選択することができる。
【００１６】
上記発明においては、各基準点特定部により特定された各基準点が一致している場合には、該基準点に対応する信号を選択する基準点比較選択部が備えられており、前記距離比較選択部は、前記基準点比較選択部により前記基準点に対応する信号が選択されない場合には、最も短い距離を算出した距離算出部を備える受信部により出力された受信信号を選択するものであり、中止部は、各生成部により生成された各品質劣化値のうちの１の品質劣化値が所定閾値を超えた場合には、距離比較選択部及び基準点比較選択部の処理を中止させてもよい。
【００１７】
ここで、一方の変調方式（例えば、ＱＰＳＫ）による各基準点間の距離よりも、他方の変調方式（例えば、１６ＱＡＭ）による各基準点間の距離の方が短いため、受信信号の信号点−本来の基準点間の距離よりも受信信号の信号点−誤基準点間の距離の方が短くなる度合いが高まる。このことは上記品質劣化値が高まるにつれて、当該度合いも高まり、受信信号の信号点に最も近い誤基準点を特定した受信部により出力された信号が選択され易くなる。したがって、上記他方の変調方式（例えば、１６ＱＡＭ）では、基準点比較選択部により上記誤基準点に対応する信号が選択され易くなる。本発明では、品質劣化値が所定閾値を超えた場合には、中止部が、距離比較選択部のみならずに基準点比較選択部の処理も中止させるため、ダイバーシティ受信装置は、基準点の多い変調方式（例えば、１６ＱＡＭ）を用いても、誤基準点に対応する信号を選択しないようにすることができる。
【００１８】
上記発明においては、生成部は、復調された受信信号の電力値を特定の電力値に近づけるための制御量を品質劣化値として生成してもよい。この場合には、当該制御量は既存の回路により生成されるため、当該制御量を生成するための回路が新たに設けられる必要が無くなる。これにより、ダイバーシティ受信装置が拡大されなくても、ダイバーシティ受信装置は、複数の受信部のうちの良い受信状態にある受信部により出力された信号を適切に選択することができる。
【００１９】
上記発明においては、生成部は、複素平面における全ての基準点を囲む領域の外延から所定距離以上の隔てられた箇所に投影された所定期間内における受信信号の信号点の数を前記品質劣化値として生成してもよい。ここで、複素平面における全ての基準点を囲む領域の外延から所定距離以上の隔てられた箇所に投影された受信信号の信号点が多く存在する場合には、上記所定距離以上の隔てられた領域内では受信信号の信号点が誤基準点に近づく可能性が高くなり、距離比較選択部又は基準点比較選択部が誤基準点を特定した受信部により出力された信号を選択することがある。
【００２０】
言い換えると、図１１に示すように、領域Ｋ２が領域Ｋ１よりも大きくなると、複素平面における全ての基準点を囲む領域Ｋ０の外では受信信号の信号点が増加し、領域Ｋ２の内では受信信号の信号点が基準点（１１）の領域を超えて、誤基準点（０１）又は誤基準点（１０）に近づく可能性がより高くなる。この場合には、距離比較選択部又は基準点比較選択部が誤基準点を特定した受信部により出力された信号を選択することがある。本発明では、生成部が、複素平面における全ての基準点を囲む領域の外延から所定距離以上の隔てられた箇所に投影された所定期間内における受信信号の信号点の数を品質劣化値として生成するため、ダイバーシティ受信装置は、この品質劣化値に基づいて、複数の受信部のうちの良い受信状態にある受信部により出力された信号を適切に選択することができる。
【００２１】
上記発明においては、所定距離は、複素平面における隣接する基準点間の半分の距離であってもよい。ここで、複素平面における全ての基準点を囲む領域の外延からの所定距離が、隣接する基準点間の半分の距離であり、この所定距離以上の隔てられた箇所に投影された受信信号の数が多くなるということは、上記所定距離以上の隔てられた領域内では誤基準点により近い受信信号の信号点が増える可能性が高くなる。したがって、上記所定距離以上の隔てられた箇所に投影された受信信号の数が品質劣化値として生成されることにより、ダイバーシティ受信装置は、この品質劣化値に基づいて、複数の受信部のうちの良い受信状態にある受信部により出力された信号を適切に選択することができる。
【００２２】
上記発明においては、各受信部は、受信信号に含まれているパイロット信号に基づいて、パイロット信号に含まれているＳＰ信号の分散によりキャリアの信頼性の高さを信頼性情報として特定する信頼性情報特定部を備えており、基準点比較選択部により基準点に対応する信号が選択されない場合には、各信頼性情報のうちの高い信頼性情報を特定した信頼性情報特定部を備える受信部により出力された受信信号を選択する信頼性情報比較選択部が備えられており、中止部は、各生成部により生成された各品質劣化値のうちの１の品質劣化値が所定閾値を超えた場合には、基準点比較選択部、距離比較選択部及び信頼性情報比較選択部の処理を中止させてもよい。
【００２３】
上記発明においては、各受信部は、受信信号に含まれているパイロット信号に基づいて、パイロット信号に含まれているＳＰ信号の分散によりキャリアの信頼性の高さを信頼性情報として特定する信頼性情報特定部を備えており、各信頼性情報のうちの高い信頼性情報を特定した信頼性情報特定部を備える受信部により出力された受信信号を選択する信頼性情報比較選択部が備えられており、中止部は、各生成部により生成された各品質劣化値のうちの１の品質劣化値が所定閾値を超えた場合には、距離比較選択部及び信頼性情報比較選択部の処理を中止させてもよい。
【００２４】
本発明は、多値変調方式に従う複素平面に投影された受信信号の信号点に最も近い基準点を特定する基準点特定部と、受信信号に含まれているパイロット信号に基づいて、パイロット信号に含まれているＳＰ信号の分散によりキャリアの信頼性の高さを信頼性情報として特定する信頼性情報特定部と、受信信号の品質の劣化を特定するための品質劣化値を生成する生成部とを備える受信部が複数備えられており、各信頼性情報のうちの高い信頼性情報を特定した信頼性情報特定部を備える受信部により出力された受信信号を選択する信頼性情報比較選択部と、各生成部により生成された各品質劣化値のうちの１の品質劣化値が所定閾値を超えた場合には、信頼性情報比較選択部の処理を中止させる中止部とを備えることを特徴とする。
【００２５】
上記発明においては、各基準点特定部により特定された各基準点が一致している場合には、基準点に対応する信号を選択する基準点比較選択部が備えられており、信頼性情報比較選択部は、基準点比較選択部により基準点に対応する信号が選択されない場合には、各信頼性情報のうちの高い信頼性情報を特定した信頼性情報特定部を備える受信部により出力された受信信号を選択するものであり、中止部は、各生成部により生成された各品質劣化値のうちの１の品質劣化値が所定閾値を超えた場合には、基準点比較選択部及び信頼性情報比較選択部の処理を中止させてもよい。
【発明の効果】
【００２６】
本発明によれば、複数の受信部のうちの良い受信状態にある受信部により出力された信号を適切に選択することができる。
【発明を実施するための最良の形態】
【００２７】
（第１実施形態）
本実施形態におけるダイバーシティ受信装置について図面を参照しながら説明する。図１は、本実施形態におけるダイバーシティ受信装置１を示す図である。図１に示すように、ダイバーシティ受信装置１は、受信部１００と、受信部２００と、ダイバーシティ合成部３００とを備えている。
【００２８】
受信部１００は、アンテナ１０１と、チューナー１０２と、ＡＧＣ部１０３と、Ａ／Ｄ変換部１０４と、同期部１０５と、ＦＦＴ部１０６と、復調部１０７と、制御量生成部１０８（生成部）と、信頼性情報特定部１０９と、基準点特定部１１０と、距離算出部１１１とを備えている。
【００２９】
アンテナ１０１は、送信部（図示せず）から送信された信号を受信する。チューナー１０２は、アンテナ１０１により受信された信号によりベースバンド信号を特定する。ＡＧＣ部１０３は、制御量生成部１０８により生成された制御量に基づいて、チューナー１０２により出力された信号の電力値を増減させて、特定の電力値に近づける。
【００３０】
Ａ／Ｄ変換部１０４は、ＡＧＣ部１０３により出力された信号をアナログからディジタルに変換する。また、Ａ／Ｄ変換部１０４は、ヒルベルト変換などを用いることにより、入力された信号に基づいてＩ軸成分の信号とＱ軸成分の信号とを生成する。同期部１０５は、Ａ／Ｄ変換部１０４により出力された信号の同期処理を実行する。ＦＦＴ部１０６は、高速フーリエ変換を実行することにより、同期部１０５により出力された時間軸に沿う信号を周波数軸に沿う信号に変換する。
【００３１】
復調部１０７は、変調方式に応じた差動変調などの復調処理により、ＦＦＴ部１０６により出力された信号を復調する。また、復調部１０７は、ＦＦＴ部１０６により出力された信号を信号点として、多値変調方式に従う複素平面（以下では、複素平面と称する）に投影する。制御量生成部１０８は、復調部１０７により復調された信号の品質の劣化を特定するための品質劣化値を生成する生成部である。本実施形態における制御量生成部１０８は、復調部１０７により復調された信号の電力値を特定の電力値に近づけるための制御量を品質劣化値として生成する。なお、品質劣化値は、Ｃ／Ｎ値に関係する値（例えば、Ｃ／Ｎ値に比例又は反比例する値など）となる。
【００３２】
信頼性情報特定部１０９は、ＦＦＴ部１０６により出力された信号に含まれているパイロット信号に基づいて、該パイロット信号に含まれているＳＰ（Scattered Pilot）信号の分散によりキャリアの信頼性の高さを信頼性情報として特定する（参考文献：「地上波伝送特性を考慮した誤り制御」、１９９８年映像情報メディア学会３−１）。
【００３３】
基準点特定部１１０は、復調部１０７により出力された信号に含まれているパイロット信号の平均値に基づいて、変調方式に応じた基準点を算出する（上述した図７及び図９参照）。また、基準点特定部１１０は、Ｉ成分及びＱ成分からなる複素平面に投影された受信信号の信号点に最も近い基準点を特定する。
【００３４】
距離算出部１１１は、基準点特定部１１０により特定された基準点と当該受信信号の信号点との距離を算出し、算出した距離の大きさから分散値を算出する（参考文献：「任意周波数妨害におけるＯＦＤＭ伝送の復号法の検討」、２０００年映像情報メディア学会３−２）。
【００３５】
受信部２００は、アンテナ２０１と、チューナー２０２と、ＡＧＣ部２０３と、Ａ／Ｄ変換部２０４と、同期部２０５と、ＦＦＴ部２０６と、復調部２０７と、復調部２０７と、制御量生成部２０８と、信頼性情報特定部２０９と、基準点特定部２１０と、距離算出部２１１とを備えている。この受信部２００に含まれている各部は、受信部１００に含まれている同名の部と同様の機能を有する。
【００３６】
ダイバーシティ合成部３００は、基準点比較選択部３１０と、中止部３２０と、信頼性情報比較選択部３３０と、距離比較選択部３４０と、最終選択部３５０とを備えている。基準点比較選択部３１０は、基準点特定部１１０，２１０により特定された各基準点を比較し、各基準点が一致している場合には、該基準点に対応する信号を選択して出力する。なお、信頼性情報比較選択部３３０及び距離比較選択部３４０は、いずれの順番に配置されてもよい。
【００３７】
信頼性情報比較選択部３３０は、基準点比較選択部３１０により基準点に対応する信号が選択されない場合、すなわち基準点特定部１１０，２１０により特定された各基準点が一致しない場合には、信頼性情報特定部１０９，２０９により特定された各信頼性情報を比較し、いずれか高い方の信頼性情報を選択する。この信頼性情報比較選択部３３０は、いずれか高い信頼性情報を特定した受信部により出力された信号を選択して出力する。
【００３８】
距離比較選択部３４０は、信頼性情報比較選択部３３０によりいずれかの信頼性情報が選択されない場合（例えば、全ての信頼性情報が同一である場合）には、距離算出部１１１，２１１により算出された各距離（又は各距離に基づいて算出された各分散値）を比較し、いずれか短い距離（又はいずれか小さい分散値）を選択する。この距離比較選択部３４０は、いずれか短い距離（又はいずれか小さい分散値）を算出した距離算出部を備える受信部により出力された信号を選択して出力する。
【００３９】
最終選択部３５０は、距離比較選択部３４０によりいずれか短い距離が選択されない場合（例えば、全ての距離が同一である場合）には、制御量生成部１０８，２０８により生成された各品質劣化値のうちのいずれか小さい品質劣化値を選択する。この最終選択部３５０は、いずれか小さい品質劣化値を生成した制御量生成部を備える受信部により出力された信号を選択して出力する。また、最終選択部３５０は、制御量生成部１０８，２０８により生成された各品質劣化値のうちのいずれか小さい品質劣化値を選択できない場合には、各受信部により出力された各信号の中から任意にいずれかの信号を選択して出力する。
【００４０】
中止部３２０は、制御量生成部１０８，２０８により生成された各品質劣化値のうちの１の品質劣化値が所定閾値を超えた場合には、上述した信頼性情報比較選択部３３０及び距離比較選択部３４０の処理を中止させる。この場合には、上述したように最終選択部３５０は、いずれか低い品質劣化値を生成した制御量生成部を備える受信部により出力された信号を選択して出力する。
【００４１】
このような本実施形態によれば、中止部３２０が、制御量生成部１０８により生成された各品質劣化値のうちの１の品質劣化値が所定閾値を超えた場合には、距離比較選択部３４０の処理を中止させることにより、距離比較選択部３４０は、受信信号の信号点−誤基準点間の距離が受信信号の信号点−本来の基準点間の距離よりも短くても、当該短い距離を算出した受信部により出力された信号を選択しないこととなる。これにより、ダイバーシティ受信装置１は、複数の受信部のうちの良い受信状態にある受信部により出力された信号を適切に選択することができる。
【００４２】
また、復調された受信信号の電力値を特定の電力値に近づけるための制御量は既存の回路により生成可能であるため、当該制御量を生成するための回路が新たに設けられる必要が無くなる。これにより、ダイバーシティ受信装置１が拡大されなくても、ダイバーシティ受信装置１は、複数の受信部のうちの良い受信状態にある受信部により出力された信号を適切に選択することができる。
【００４３】
（変更例）
図２は、本変更例におけるダイバーシティ受信装置１を示す図である。図１に示す第１実施形態では、中止部３２０が信頼性情報比較選択部３３０及び距離比較選択部３４０よりも前に備えられているが、図２に示す本変更例では中止部３２０は、信頼性情報比較選択部３３０及び距離比較選択部３４０に加えて、基準点比較選択部３１０よりも前に備えられてもよい。なお、図２に示すダイバーシティ受信装置１に含まれている各部は、図１に示すダイバーシティ受信装置１に含まれている同名の各部と同様の機能を有する。また、信頼性情報比較選択部３３０及び距離比較選択部３４０は、いずれの順番に配置されてもよい。
【００４４】
本変更例における中止部３２０は、制御量生成部１０８により生成された各品質劣化値のうちの１の品質劣化値が所定閾値を超えた場合には、基準点比較選択部３１０、信頼性情報比較選択部３３０及び距離比較選択部３４０の処理を中止させる。
【００４５】
ここで、一方の変調方式（例えば、ＱＰＳＫ）による各基準点間の距離（図７参照）よりも、他方の変調方式（例えば、１６ＱＡＭ）による各基準点間の距離（図９参照）の方が短いため、受信信号の信号点−本来の基準点間の距離よりも受信信号の信号点−誤基準点間の距離の方が短くなる度合いが高まる。このことは上記品質劣化値が高まるにつれて、当該度合いも高まり、受信信号の信号点に最も近い誤基準点を特定した受信部により出力された受信信号が選択され易くなる。
【００４６】
したがって、上記他方の変調方式（例えば、１６ＱＡＭ）では、品質劣化値が高まるにつれて、基準点比較選択部３１０により上記誤基準点に対応する信号が選択され易くなる。本変更例では、品質劣化値が所定閾値を超えた場合には、中止部３２０が、信頼性情報比較選択部３３０及び距離比較選択部３４０のみならずに基準点比較選択部３１０の処理も中止させるため、ダイバーシティ受信装置１は、基準点の多い変調方式（例えば、１６ＱＡＭ）を用いても、誤基準点に対応する信号を選択しないようにすることができる。
【００４７】
（第２実施形態）
図３は、本実施形態におけるダイバーシティ受信装置１を示す図である。第１実施形態では、制御量生成部１０８，２０８により生成された品質劣化値がダイバーシティ合成部３００に出力されているが、図３に示すように第２実施形態では異常数生成部１１２，２１２（生成部）により生成された品質劣化値がダイバーシティ合成部３００に出力されている。なお、図３に示すダイバーシティ受信装置１に含まれている各部は、図１に示すダイバーシティ受信装置１に含まれている同名の各部と同様の機能を有する。また、信頼性情報比較選択部３３０及び距離比較選択部３４０は、いずれの順番に配置されてもよい。
【００４８】
異常数生成部１１２，２１２は、複素平面における全ての基準点を囲む領域の外に投影された所定期間内における受信信号の信号点の数を品質劣化値として生成する。ここで、図４は、本実施形態におけるＱＰＳＫの複素平面を示す図である。図５は、本実施形態における１６ＱＡＭの複素平面を示す図である。図４及び図５に示すように、異常数生成部１１２，２１２は、領域Ｒ１，Ｒ１’を複素平面に設定する。この領域Ｒ１，Ｒ１’は、複素平面における全ての基準点を囲む領域である。本実施形態における領域Ｒ１，Ｒ１’は、特定の基準点に対していずれか一方向に隣接する基準点が存在しない外延Ｗ１，ｗ１’を囲む領域である。
【００４９】
また、異常数生成部１１２，２１２は、変調方式がＱＰＳＫである場合には、隣接する基準点間（例えば、基準点（００）と基準点（０１）との間）の半分の距離ＬＷ（所定距離）を領域Ｒ１の外延Ｗ１から隔てながら領域Ｒ１を囲む領域Ｒ２を設定する（図４参照）。同様にして、異常数生成部１１２，２１２は、変調方式が１６ＱＡＭである場合にも、隣接する基準点間（例えば、基準点（００００）と基準点（０００１）との間）の半分の距離ＬＷ’（所定距離）を領域Ｒ１’の外延Ｗ１’から隔てながら領域Ｒ１’を囲む領域Ｒ２’を設定する。この異常数生成部１１２，２１２は、領域Ｒ２又は領域Ｒ２’の外に投影された所定期間内における受信信号の信号点の数（いわゆる異常数）を品質劣化値として生成する。
【００５０】
ここで、複素平面における領域Ｒ２又はＲ２’の外に投影された受信信号の信号点が多く存在する場合には、その領域Ｒ２又はＲ２’の内では受信信号の信号点が誤基準点に近づく可能性が高くなり、信頼性情報比較選択部３３０及び距離比較選択部３４０が誤基準点を特定した受信部により出力された信号を選択することがある（図１１参照）。本実施形態では、異常数生成部１１２，２１２が、複素平面における領域Ｒ２又はＲ２’の外に投影された所定期間内における受信信号の信号点の数を品質劣化値として生成するため、ダイバーシティ受信装置１は、この品質劣化値に基づいて、より適切な受信部により出力された受信信号を選択することができる。
【００５１】
（変更例）
図６は、本変更例におけるダイバーシティ受信装置１を示す図である。図３に示す第２実施形態では、中止部３２０が信頼性情報比較選択部３３０及び距離比較選択部３４０よりも前に備えられているが、図６に示す本変更例では、中止部３２０は、信頼性情報比較選択部３３０及び距離比較選択部３４０に加えて、基準点比較選択部３１０よりも前に備えられてもよい。なお、図６に示すダイバーシティ受信装置１に含まれている各部は、図３に示すダイバーシティ受信装置１に含まれている同名の各部と同様の機能を有する。また、信頼性情報比較選択部３３０及び距離比較選択部３４０は、いずれの順番に配置されてもよい。
【００５２】
この場合には、図２に示す変更例と同様の効果が奏される。また、ダイバーシティ受信装置１が、制御量生成部１０８，２０８により生成された品質劣化値ではなく、異常数生成部１１２，２１２により生成された品質劣化値に基づいて、いずれかの受信部により出力された信号を選択している。このため、図３に示す第２実施形態及び図６に示す本変更例におけるダイバーシティ受信装置１は、受信部により出力されたいずれかの信号を、第１実施形態及びその変更例における構成よりも早く選択することができる。
【００５３】
なお、第２実施形態及びその変更例では、最終選択部３５０は、距離比較選択部３４０によりいずれか短い距離が選択されない場合（例えば、全ての距離が同一である場合）には、異常数生成部１１２，２１２により生成された各品質劣化値のうちのいずれか小さい品質劣化値を選択する。この最終選択部３５０は、いずれか小さい品質劣化値を生成した異常数生成部を備える受信部により出力された信号を選択して出力する。
【００５４】
なお、上記ダイバーシティ受信装置で説明した内容は、パーソナルコンピュータ等の汎用コンピュータにおいて、所定のプログラム言語を利用するための専用プログラムを実行することにより実現することができる。なお、プログラムは、記録媒体に記録されてもよい。この記録媒体は、ハードディスク、フレキシブルディスク、コンパクトディスク、ＩＣチップ、カセットテープなどが挙げられる。また、ダイバーシティ受信装置は集積回路等により構成することもできる。
【００５５】
以上、本発明の一例を説明したが、具体例を例示したに過ぎず、特に本発明を限定するものではなく、各部の具体的構成等は、適宜設計変更可能である。また、実施形態及び変更例に記載された作用及び効果は、本発明から生じる最も好適な作用及び効果を列挙したに過ぎず、本発明による作用及び効果は、実施形態及び変更例に記載されたものに限定されるものではない。
【図面の簡単な説明】
【００５６】
【図１】第１実施形態におけるダイバーシティ受信装置を示す図である。
【図２】変更例におけるダイバーシティ受信装置を示す図である。
【図３】第２実施形態におけるダイバーシティ受信装置を示す図である。
【図４】第２実施形態におけるＱＰＳＫの複素平面を示す図である。
【図５】第２実施形態における１６ＱＡＭの複素平面を示す図である。
【図６】変更例におけるダイバーシティ受信装置を示す図である。
【図７】従来からのＱＰＳＫの複素平面を示す図である。
【図８】従来からのＱＰＳＫの複素平面を示す図である。
【図９】従来からの１６ＱＡＭの複素平面を示す図である。
【図１０】複素平面における受信信号の信号点がばらついている領域を示す図である。
【図１１】複素平面における受信信号の信号点がばらついている領域を示す図である。
【符号の説明】
【００５７】
１…ダイバーシティ受信装置、１００，２００…受信部、１０１，２０１…アンテナ、１０２，２０２…チューナー、１０３，２０３…ＡＧＣ部、１０４，２０４…Ａ／Ｄ変換部、１０５，２０５…同期部、１０６，２０６…ＦＦＴ部、１０７，２０７…復調部、１０８，２０８…制御量生成部、１０９，２０９…信頼性情報特定部、１１０，２１０…基準点特定部、１１１，２１１…距離算出部、１１２，２１２…異常数生成部、３００…ダイバーシティ合成部、３１０…基準点比較選択部、３２０…中止部、３３０…信頼性情報比較選択部、３４０…距離比較選択部、３５０…最終選択部
【図１】
2006166021.tif 000003
【図２】
2006166021.tif 000004
【図３】
2006166021.tif 000005
【図４】
2006166021.tif 000006
【図５】
2006166021.tif 000007
【図６】
2006166021.tif 000008
【図７】
2006166021.tif 000009
【図８】
2006166021.tif 000010
【図９】
2006166021.tif 000011
【図１０】
2006166021.tif 000012
【図１１】
2006166021.tif 000013